(57)【要約】      （修正有）【課題】防水効果を高めた、双パッキン式電源ケーブル及び波管防水固定ヘッドを提供する。【解決手段】双パッキン式電源ケーブル及び波管防水固定ヘッドは、外蓋１０と、挟持爪２０と、パッキン輪３０と、接続環４０と、を含み、該外蓋は、通孔１１を含み、該挟持爪は、貫通孔２１を含み、該パッキン輪は、第１パッキン段３１と、第２パッキン段３２と、軸向きに貫通する通孔と、を含み、該挟持爪は、該外蓋の通孔中に位置し、該パッキン輪は、該挟持爪の貫通孔中に位置し、該接続環は、外蓋と螺合する。これにより、該パッキン輪の第１パッキン段及び第２パッキン段は、同時に電源ケーブル上に拘束されるか、第１パッキン段及び第２パッキン段は、それぞれ波管及び電源ケーブル上にそれぞれ拘束され、双パッキン及び双辺防水の効果を達成する。【選択図】図１
0003161327.tif 000002
【実用新案登録請求の範囲】
【請求項１】
軸向きに貫通する通孔と、該通孔内壁面上に形成される第１傾斜錘面と、該通孔内壁面上に形成される内ねじ山と、を含む外蓋と、
軸向きに貫通する貫通孔を有する挟持爪であって、該挟持爪の一端縁上に第１傾斜面を有し、該貫通孔の内壁面上にパッキン凸部を形成し、該挟持爪が該外蓋の通孔中に位置し、該第１傾斜面により該第１傾斜錘面に係止する挟持爪と、
第１パッキン段及び第２パッキン段を含み、軸向きに貫通する通孔を有し、該通孔により電源ケーブル又は電源ケーブル及び波管を同時に穿合させ、該第１パッキン段の外周面上に凹陥した頚部を形成してなり、該第２パッキン段の外周面上に第２傾斜面を形成してなるパッキン輪であって、該パッキン輪が該挟持爪の貫通孔中に位置し、該頚部により該パッキン凸部を嵌合させるパッキン輪と、
第１外ねじ山及び第２傾斜錘面を含み、該第１外ねじ山は、外蓋の内ねじ山と螺合し、該第２傾斜錘面を該パッキン輪の該第２傾斜面上に係合させる接続環と、
を含み、
該パッキン輪の第１パッキン段及び第２パッキン段は、同時に電源ケーブル上に拘束されるか、第１パッキン段及び第２パッキン段がそれぞれ波管及び電源ケーブル上に拘束される双パッキン式電源ケーブル及び波管防水固定ヘッド。
【請求項２】
接続環は、第１接続段と、第２接続段と、該第１接続段及び該第２接続段の間に接続する係止段と、を更に区切り、且つ該係止段の外径は、該第１接続段及び第２接続段の外径より大きく、該第１接続段上に第１外ねじ山を形成し、該第２接続段上に基板、ハウジングに螺合することに用いる第３外ねじ山を形成する請求項１に記載の双パッキン式電源ケーブル及び波管防水固定ヘッド。
【請求項３】
更に、防水輪を含み、該接続環の第２接続段上に被せられ、該防水輪の該接続環の位置に対応する端面上に、更に若干の緊密接合凸部を凸接し、該緊密接合凸部により接続環の係止段と係合し、該防水輪の基板、ハウジングの位置に対応する端面上には、隆起部を凸設し、該隆起部により基板、ハウジングと係合させる請求項２に記載の双パッキン式電源ケーブル及び波管防水固定ヘッド。
【請求項４】
前記接続環の係止段の該防水輪に対応する端面上に、凹部を凹陥し、該防水輪の接続環凹部に対応する端面上に、隆起部を凸設し、該隆起部を該凹部内に嵌合させ、該防水輪の基板、ハウジングに対応する端面上に、若干の緊密接合凸部を凸設し、該緊密接合凸部により基板、ハウジングと係合させる請求項３に記載の双パッキン式電源ケーブル及び波管防水固定ヘッド。
【請求項５】
前記パッキン輪の第２パッキン段の外周面上に、更に、少なくとも１つの凹陥する溝を環状に設け、該溝の位置で該第２パッキン段の端縁を切除することができる請求項１に記載の双パッキン式電源ケーブル及び波管防水固定ヘッド。
【請求項６】
前記パッキン輪の第１パッキン段の内壁面上に、更に、フック部を凸設し、該フック部により該波管外周面の凹溝中に嵌合する請求項１に記載の双パッキン式電源ケーブル及び波管防水固定ヘッド。
【考案の詳細な説明】
【技術分野】
【０００１】
本考案は、電源ケーブル及び波管の固定ヘッドに関し、特に、双パッキン式電源ケーブル及び波管防水固定ヘッドに関する。
【背景技術】
【０００２】
電源ケーブルは、外力を受け伸縮し易く、固定ヘッドの接続位置に脱落又は浸水を発生し易い。従って、業者は、ケーブルを固定することに用いることができる固定接続ヘッドを開発しており、例えば、中華民国専利第Ｍ２７７１７５号「ケーブル及び波管の固定接続ヘッド」は、主に、第１外蓋と、把手裏部と、防水歯環と、定位環と、接続環と、内嵌合輪と、弾性輪と、第２蓋体と、を有し、それは、主に、把手裏部を利用し、電源ケーブルに対して単一環状の挟持拘束作用を形成し、この挟持作用を利用し、電源ケーブルの固定及び防水の目的を達成している。
【０００３】
しかしながら、上記の従来の構造は、単一のパッキンケーブル機能のみを有し、挟持効果が良好でなく、防水効果を向上することができないという問題を有し、その問題は、主に単一環状の挟持作用を利用していることにあり、電源ケーブルの受力が単一の受力であり、依然として容易に緩み、脱落の状況が発生し、防水作用については、電源ケーブルが挟持される位置を利用し、防水の目的を達成し、単辺の受力が挟持され、単辺の防水の防水作用のみを行なうことしかできず、防水効果が良好でない。
【先行技術文献】
【特許文献】
【０００４】
【特許文献１】中華民国専利第Ｍ２７７１７５号明細書
【考案の概要】
【考案が解決しようとする課題】
【０００５】
これに鑑み、本考案の目的は、構成要素が少なく、容易に組み合わせることができる双パッキン式電源ケーブル及び波管防水固定ヘッドを提供することである。
【０００６】
本考案のもう１つの目的は、双パッキン作用を有し、電源ケーブル及び波管を何れも安定して固定し、容易に緩むことがないようにする双パッキン式電源ケーブル及び波管防水固定ヘッドを提供することである。
【０００７】
本考案のもう１つの目的は、良好な防水効果を具備する双パッキン式電源ケーブル及び波管防水固定ヘッドを提供することである。
【課題を解決するための手段】
【０００８】
そこで、本考案が提供する双パッキン式電源ケーブル及び波管防水固定ヘッドは、
軸向きに貫通する通孔と、該通孔内壁面上に形成される第１傾斜錘面と、該通孔内壁面上に形成される内ねじ山と、を有する外蓋と、
軸向きに貫通する貫通孔を有する挟持爪であって、該挟持爪の一端縁上に第１傾斜面を有し、該貫通孔の内壁面上にパッキン凸部を形成し、該挟持爪が該外蓋の通孔中に位置し、該第１傾斜面により該第１傾斜錘面に係止する挟持爪と、
第１パッキン段及び第２パッキン段を有し、軸向きに貫通する通孔を有し、該通孔により電源ケーブル又は電源ケーブル及び波管を同時に穿合させ、該第１パッキン段の外周面上に凹陥した頚部を形成してなり、該第２パッキン段の外周面上に第２傾斜面を形成してなるパッキン輪であって、該パッキン輪が該挟持爪の貫通孔中に位置し、該頚部により該パッキン凸部を嵌合させるパッキン輪と、
第１外ねじ山及び第２傾斜錘面を有し、該第１外ねじ山は、外蓋の内ねじ山と螺合し、該第２傾斜錘面を該パッキン輪の該第２傾斜面上に係合させる接続環と、
を含む。
該パッキン輪の第１パッキン段及び第２パッキン段は、同時に電源ケーブル上に拘束されるか、第１パッキン段及び第２パッキン段がそれぞれ波管及び電源ケーブル上に拘束され、双パッキンの効果を達成する。
【０００９】
上記の双パッキン電源ケーブル及び波管防水固定ヘッドは、該第２双パッキン段が自由端縁に向かって徐々に縮小し、その外径及び内径が錘状を呈する。
【００１０】
上記の双パッキン電源ケーブル及び波管防水固定ヘッドは、更に、防水輪を含み、該接続環の第２接続段上に被さり、その一端面が該係止段に係合する。
【００１１】
上記の双パッキン電源ケーブル及び波管防水固定ヘッドは、該パッキン輪が第２パッキン段の外周面上に更に凹陥した溝を環状に設け、該溝箇所で該第２パッキン段の端縁を切除ことができる。
【００１２】
上記の双パッキン電源ケーブル及び波管防水固定ヘッドは、該パッキン輪の第１パッキン段の内壁面上に更にフック部を凸設し、該フック部により該波管外周面の凹溝中に嵌合する。
【００１３】
本考案は下記の構成を有する。
（１）軸向きに貫通する通孔と、該通孔内壁面上に形成される第１傾斜錘面と、該通孔内壁面上に形成される内ねじ山と、を含む外蓋と、
軸向きに貫通する貫通孔を有する挟持爪であって、該挟持爪の一端縁上に第１傾斜面を有し、該貫通孔の内壁面上にパッキン凸部を形成し、該挟持爪が該外蓋の通孔中に位置し、該第１傾斜面により該第１傾斜錘面に係止する挟持爪と、
第１パッキン段及び第２パッキン段を含み、軸向きに貫通する通孔を有し、該通孔により電源ケーブル又は電源ケーブル及び波管を同時に穿合させ、該第１パッキン段の外周面上に凹陥した頚部を形成してなり、該第２パッキン段の外周面上に第２傾斜面を形成してなるパッキン輪であって、該パッキン輪が該挟持爪の貫通孔中に位置し、該頚部により該パッキン凸部を嵌合させるパッキン輪と、
第１外ねじ山及び第２傾斜錘面を含み、該第１外ねじ山は、外蓋の内ねじ山と螺合し、該第２傾斜錘面を該パッキン輪の該第２傾斜面上に係合させる接続環と、
を含み、
該パッキン輪の第１パッキン段及び第２パッキン段は、同時に電源ケーブル上に拘束されるか、第１パッキン段及び第２パッキン段がそれぞれ波管及び電源ケーブル上に拘束される双パッキン式電源ケーブル及び波管防水固定ヘッド。
（２）接続環は、第１接続段と、第２接続段と、該第１接続段及び該第２接続段の間に接続する係止段と、を更に区切り、且つ該係止段の外径は、該第１接続段及び第２接続段の外径より大きく、該第１接続段上に第１外ねじ山を形成し、該第２接続段上に基板、ハウジングに螺合することに用いる第３外ねじ山を形成する（１）に記載の双パッキン式電源ケーブル及び波管防水固定ヘッド。
（３）更に、防水輪を含み、該接続環の第２接続段上に被せられ、該防水輪の該接続環の位置に対応する端面上に、更に若干の緊密接合凸部を凸接し、該緊密接合凸部により接続環の係止段と係合し、該防水輪の基板、ハウジングの位置に対応する端面上には、隆起部を凸設し、該隆起部により基板、ハウジングと係合させる（２）に記載の双パッキン式電源ケーブル及び波管防水固定ヘッド。
（４）前記接続環の係止段の該防水輪に対応する端面上に、凹部を凹陥し、該防水輪の接続環凹部に対応する端面上に、隆起部を凸設し、該隆起部を該凹部内に嵌合させ、該防水輪の基板、ハウジングに対応する端面上に、若干の緊密接合凸部を凸設し、該緊密接合凸部により基板、ハウジングと係合させる（３）に記載の双パッキン式電源ケーブル及び波管防水固定ヘッド。
（５）前記パッキン輪の第２パッキン段の外周面上に、更に、少なくとも１つの凹陥する溝を環状に設け、該溝の位置で該第２パッキン段の端縁を切除することができる（１）に記載の双パッキン式電源ケーブル及び波管防水固定ヘッド。
（６）前記パッキン輪の第１パッキン段の内壁面上に、更に、フック部を凸設し、該フック部により該波管外周面の凹溝中に嵌合する（１）に記載の双パッキン式電源ケーブル及び波管防水固定ヘッド。
【考案の効果】
【００１４】
本考案の双パッキン式電源ケーブル及び波管防水固定ヘッドは、外蓋と、挟持爪と、パッキン輪と、接続環と、を含み、該外蓋は、通孔を含み、該挟持爪は、貫通孔を含み、該パッキン輪は、第１パッキン段と、第２パッキン段と、軸向きに貫通する通孔と、を含み、該挟持爪は、該外蓋の通孔中に位置し、該パッキン輪は、該挟持爪の貫通孔中に位置し、該接続環は、外蓋と螺合する。これにより、該パッキン輪の第１パッキン段及び第２パッキン段は、同時に電源ケーブル上に拘束されるか、第１パッキン段及び第２パッキン段は、それぞれ波管及び電源ケーブル上にそれぞれ拘束され、双パッキン及び双辺防水の効果を達成する。
【図面の簡単な説明】
【００１５】
【図１】本考案の第１好適実施例の分解断面図である。
【図２】図１の実施例の組み合わせ断面図である。
【図３】図１において、直径の小さい電源ケーブルと組み合わせる時の状態を主に表示する使用状態説明図である。
【図４】図１において、直径の小さい電源ケーブルと組み合わせる時の状態を主に表示する使用状態説明図である。
【図５】図１において、直径の大きい電源ケーブルと組み合わせる時の状態を主に表示する使用状態説明図である。
【図６】図１において、直径の大きい電源ケーブルと組み合わせる時の状態を主に表示する使用状態説明図である。
【図７】図１において、直径の小さい電源ケーブル及び波管と組み合わせる時の状態を主に表示する使用状態説明図である。
【図８】図１において、直径の小さい電源ケーブル及び波管と組み合わせる時の状態を主に表示する使用状態説明図である。
【図９】図１において、直径の大きい電源ケーブル及び波管と組み合わせる時の状態を主に表示する使用状態説明図である。
【図１０】図１において、直径の大きい電源ケーブル及び波管と組み合わせる時の状態を主に表示する使用状態説明図である。
【図１１】本考案の第２好適実施例の分解断面図である。
【図１２】図１１が示す実施例の組み合わせ断面図である。
【図１３】図１１において、電源ケーブル及び波管と組み合わせる時の状態を主に表示する使用状態説明図である。
【図１４】本考案の第３好適実施例の分解説明図である。
【図１５】図１４が示す実施例の組み合わせ断面図である。
【図１６】図１４において、電源ケーブル及び波管と組み合わせる時の状態を主に表示する使用状態説明図である。
【考案を実施するための形態】
【００１６】
本考案の特徴及び利点をより分かり易くする為、以下に実施例を挙げ、図面に併せて説明を行なう。
【００１７】
図１〜図８は、本考案の第１好適実施例が提供する双パッキン式電源ケーブル及び波管防水固定ヘッド１００を提供し、外蓋１０と、挟持爪２０と、パッキン輪３０と、接続環４０と、を含む。
【００１８】
図１及び図２において、該外蓋１０は、軸向きに貫通する通孔１１と、該通孔１１内壁面上に形成される第１傾斜錘面１２と、該通孔１１内壁面上に形成される内ねじ山１３と、を有する。
【００１９】
図１及び図２において、該挟持爪２０は、中空体であり、複数の爪部２４を有し、該挟持爪２０は、軸向きに貫通する貫通孔２１を有し、該挟持爪２０の爪部２４の一端縁上に第１傾斜面２２を有し、該貫通孔２１の該爪部２４に対応する内壁面上に環状のパッキン凸部２３を形成する。
【００２０】
図１、図２において、該パッキン輪３０は、弾性変形する材質、例えば、ゴム材質で形成される。該パッキン輪３０は、第１パッキン段３１及び第２パッキン段３２が一体に接続してなり、通孔３３を軸向きに貫通し、且つ該第２パッキン段３２は、自由端縁に向かって徐々に縮小し、その外径及び内径が錘状を呈し、該第１パッキン段３１の外周面上に環状凹陥した頚部３１１を形成し、該第２パッキン段３２の外周面上に第２傾斜面３２１を形成する。
【００２１】
図１、図２において、該接続環４０は、中空柱体であり、その内壁面上に第２傾斜面４１を有し、外周面上に第１外ねじ山４２を有する。
【００２２】
上記は、本考案の第１好適実施例が提供する双パッキン式電源ケーブル及び波管防水固定ヘッド１００の主要な構成要素を紹介したが、続いて、その組み立て方式及び使用の特長を以下に紹介する：
【００２３】
先ず、図２に示すように、該パッキン輪３０の第１パッキン段３１は、該挟持爪２０の貫通孔２１中に穿合し、該挟持爪２０のパッキン凸部２３を該パッキン輪３０の頚部３１１内に嵌合させ、該パッキン輪３０の第２パッキン段３２を該接続環４０の内部に穿合し、該接続環４０の第１外ねじ山４２により該外蓋１０の内ねじ山１３と螺合し、該挟持爪２０の第１傾斜面２２を該外蓋１０の第１傾斜錘面１２に対応する相対位置上に位置させ、該パッキン輪３０の第２傾斜面３２１は、該接続環４０に対応する第２傾斜錘面４１の相対位置上に位置する。
【００２４】
これにより、図３、図４に示すように、本考案は、小さい直径の電源ケーブル９９と接続しようとする時、該電源ケーブル９９を外蓋１０の貫通孔１１から貫通させ、電源ケーブル９９を該パッキン輪３０の通孔３３内に穿合し、該電源ケーブル９９を緊密に固定しようとする時は、該外蓋１０を回転させ（該外蓋１０を接続環４０の方向に回転させる）、該外蓋１０の第１傾斜錘面１２に該挟持爪２０の第１傾斜面２２への押圧を開始させ、該パッキン輪３０の第１パッキン段３１に拘束状態を呈することを開始させ、該パッキン輪３０が受力する位置に変化を生じさせ、該第１パッキン段３１に位置する頚部３１１内壁面で変形を開始させ、該電源ケーブル９９上に拘束し、電源ケーブル９９に対しパッキングする第１パッキン領域を形成し、外蓋１０が回転する時、該パッキン輪３０の第２パッキン段３２の第２傾斜面３２１は、該接続環４０の第２傾斜錘面４１に圧迫され、該電源ケーブル９９上の拘束に変化を生じさせ、電源ケーブル９９に対しパッキングした第２パッキン領域を形成する。
【００２５】
電源ケーブル９９は、パッキン輪３０の第１パッキン段３１及び第２パッキン段３２の圧迫を同時に受け、双パッキンの効果を達成することができ、電源ケーブルが外力の作用を受け引き伸ばされ、緩むことを防止する。
【００２６】
また、本考案が必要とする構成部材は、従来の構成部材より少なく、組み立て、組み合わせにおいて、相当簡易である。
【００２７】
上記の接続環４０は、第１接続段４３と、第２接続段４４と、該第１接続段４３及び該第２接続段４４の間に接続する係止段４５と、を更に区切り、且つ該係止段４５の外径は、該第１接続段４３及び第２接続段４４の外径より大きく、該第１接続段４３上に外蓋１０上に螺合することに用いる第１外ねじ山４２を形成し、該第２接続段４３上に基板、ハウジングに螺合することに用いる第３外ねじ山４６を形成する。
【００２８】
本考案の双パッキン式電源ケーブル及び波管防水固定ヘッド１００は、防水輪５０を更に含むことができ、図１及び図２に示すように、該防水輪５０は、弾性変形する材質、例えば、ゴム材質から形成され、該接続環４０の第２接続段４４上に被せられ、その一端面が該係止段４５上に係合し、該接続環４０及び基板又はハウジングを螺合する時、該防水輪５０により接続環４０及び基板、ハウジング間の緊密効果を増加し、該防水輪５０を利用し、水分、水気が第２接続段４４から固定されたハウジング又は内部に浸入することを防止する効果をなすことができ、パッキン輪３０の電源ケーブル９９に対するパッキン作用を組み合わせ、双辺防水の効果を達成する。
【００２９】
上記の防水輪５０の該接続環４０の位置に対応する端面上に更に若干の緊密接合凸部５１を凸設し、且つ該緊密接合凸部５１は、同心円状を呈して配列され、該緊密接合凸部５１により接続環４０の係止部４５と係合する時、その緊密接合の効果を増加することができ、防水の効果を更に強化する。
【００３０】
また、上記防水輪５０の基板、ハウジングの位置に対応する端面上に隆起部５２を凸設し、該隆起部５２を基板、ハウジングと係合させる時、その緊密接合の効果を増加することができ、更に防水の効果を強化する。
【００３１】
上記のパッキン輪３０は、第２パッキン段３２の外周面上に更に少なくとも１つの凹陥する溝３４を環状に設け、大きな直径の電源ケーブル９８に対して接続パッキンを行なう時、図５，図６に示すように、該溝３４４の位置で該第２パッキン段３２の端縁を切除することができ、大きな直径の電源ケーブル９８に対して双パッキンの効果をなすことに有利である。但し、その切除した領域の大きさは、実際の電源ケーブルの直径に応じて定めることができる。
【００３２】
図７、図８において、本考案の双パッキン式電源ケーブル及び波管防水固定ヘッド１００が波管９７に被せられる小さい直径の電源ケーブル９９と接続する時、電源ケーブル９９をパッキン輪３０の通孔３３中に穿合し、電源ケーブル９９を外部に露出（波管の被覆を受けない）した部分を第２パッキン段３２中に位置させ、波管９７は、第１パッキン段３１中に位置し、該第１パッキン段３１及び第２パッキン段３２が受力を開始し、変形する時、該第１パッキン段３１により該波管９７上に堅固に拘束し、該第２パッキン段３２は、該電源ケーブル９９上に堅固拘束され、双パッキンの態様を同様に達成することができ、その差異は、ただそれぞれ波管及び電源ケーブル上にパッキングされることにあり、電源ケーブル上に双パッキングするのではないが、同様に本考案の目的を達成することができる。
【００３３】
上記の波管９７は、広義に解釈されるべきであり、構造又は材料を限定するものではなく、例えば、螺旋状の蛇管、一般の等間隔の波管を含み、金属、プラスチック又はゴム材質を含む。
【００３４】
図９及び図１０において、本考案の双パッキン式電源ケーブル及び波管固定ヘッド１００が波管９７を被せた大きな直径の電源ケーブル９８と接続する時、同様に電源ケーブル９８をパッキン輪３０の通孔３３中に穿合し、電源ケーブル９９の外部露出した（波管の被覆を受けない）部分を第２パッキン輪３０の通孔３３中に位置させ、波管９７は、第１パッキン段３１中に位置し、実際の電源ケーブルの直径の大きさに応じて第２パッキン段３２の端縁領域を切除し、該第１パッキン段３１及び第２パッキン段３２に受力を開始させ、変形する時、該第１パッキン段３１で該波管９７上に堅固に拘束し、該第２パッキン段３２は、該電源ケーブル９９上に堅固に拘束され、双パッキンの態様を達成することができる。
【００３５】
図１１〜図１３において、本考案の第２好適実施例が提供する双パッキン式電源ケーブル及び波管防水固定ヘッド２００は、第１好適実施例と同様に、外蓋１０と、挟持爪２０と、パッキン輪３０と、接続環４０と、防水輪５０と、を含むが、その主要な差異は、以下にある：
本実施例のパッキン輪３０の第１パッキン段３１の内壁面上に更にフック部３５を設け、電源ケーブル９９を波管と穿合する時、該フック部３５により該波管９７外周面が形成する凹溝中に嵌合することができ、波管９７をパッキングする固定効果を良好にする。
【００３６】
図１４〜図１６において、本考案の第３好適実施例が提供する双パッキン式電源ケーブル及び波管防水固定ヘッド３００は、第２好適実施例と同様に、外蓋１０と、挟持爪２０と、パッキン輪３０と、接続環４０と、防水輪５０と、を含むが、主要な差異は以下にある：
本実施例の防水輪５０は、該接続環４０の位置に対応した端面上に隆起部５２を凸設し、該基板、ハウジング９６の位置に対応した端面上に若干の緊密接合凸部５１を凸設し、接続環４０の係止段４５の該防水輪５０隆起部５２に対応する端面上には、凹部４７を凹陥し、該凹部４７は、環型凹溝であり、該隆起部５０の構造を対応して組み合わせることができ、該凹部４７により該防水輪５０の隆起部５２を嵌合させ、固定ヘッド３００の接続環４０の第２外ねじ山４６は、ハウジング９６の孔９６１中に貫通設置され、雌螺子Ｓによよ螺合固定され、該緊密接合凸部５１は、ハウジング９６（基板）壁面上に係合され、該緊密接合凸部は、粉塵顆粒の影響を回避することができ、防水輪５０及び該ハウジング９６壁面の間の防水効果は、接続環４０及びハウジング９６間の防水効果が良好であるだけでなく、水分子がハウジング９６内に送られることを回避し、防水輪５０及び該ハウジング９６は、更に防水輪が緩み又は離脱することを回避することができる。
【００３７】
なお、本考案では好ましい実施例を前述の通り開示したが、これらは決して本考案に限定するものではなく、当該技術を熟知する者なら誰でも、本考案の精神と領域を脱しない均等の範囲内で各種の変動や潤色を加えることができることは勿論である。
【符号の説明】
【００３８】
「第１好適実施例」
１００  双パッキン式電源ケーブル及び波管防水固定ヘッド
１０  外蓋
１１  通孔
１２  第１傾斜錘面
１３  内ねじ山
２０  挟持爪
２１  貫通孔
２２  第１傾斜面
２３  パッキン凸部
２４  爪部
３０  パッキン輪
３１  第１パッキン段
３１１  頚部
３２  第２パッキン段
３２１  第２傾斜面
３３  通孔
３４  溝
４０  接続環
４１  第２傾斜錘面
４２  第１外ねじ山
４３  第１接続段
４４  第２接続段
４６  第２外ねじ山
４５  係止段
５０  防水輪
５１  緊密接合凸部
５２  隆起部
９９  直径の小さい電源ケーブル
９８  直径の大きい電源ケーブル
９７  波管
「第２好適実施例」
２００  双パッキン式電源ケーブル及び波管防水固定ヘッド
１０  外蓋
２０  挟持爪
３０  パッキン輪
３１  第１パッキン段
３５  フック部
４０  接続環
５０  防水輪
９９  電源ケーブル
９７  波管
「第３好適実施例」
３００  双パッキン式電源ケーブル及び波管防水固定ヘッド
１０  外蓋
２０  挟持爪
３０  パッキン輪
４０  接続環
４５  係止段
４７  凸部
５０  防水輪
５１  緊密接合凸部
５２  隆起部
９６  ハウジング
【図１】
0003161327.tif 000003
【図２】
0003161327.tif 000004
【図３】
0003161327.tif 000005
【図４】
0003161327.tif 000006
【図５】
0003161327.tif 000007
【図６】
0003161327.tif 000008
【図７】
0003161327.tif 000009
【図８】
0003161327.tif 000010
【図９】
0003161327.tif 000011
【図１０】
0003161327.tif 000012
【図１１】
0003161327.tif 000013
【図１２】
0003161327.tif 000014
【図１３】
0003161327.tif 000015
【図１４】
0003161327.tif 000016
【図１５】
0003161327.tif 000017
【図１６】
0003161327.tif 000018